(57)【特許請求の範囲】
【請求項１】
セードと、
少なくとも２つのＬＥＤ素子を保持し、人の手で操作可能なレバーが固定され、前記セードの被照射物に対向する面の上を移動可能に支持されるＬＥＤ基板と、
前記ＬＥＤ基板に固定されたレバーが貫通されて該レバーを摺動可能に案内する孔が形成され、前記ＬＥＤ基板を覆うように前記セードに嵌合して、前記ＬＥＤ基板を所定の軌道で移動可能に保持するカバーと、
を備えることを特徴とする照明装置。
【請求項２】
前記ＬＥＤ素子は、前記ＬＥＤ基板上に直線上に配置されることを特徴とする請求項１に記載の照明装置。
【請求項３】
前記ＬＥＤ基板を複数備えることを特徴とする請求項１または２に記載の照明装置。
【請求項４】
前記ＬＥＤ基板は一端を支持され、該一端を支点として回動することを特徴とする請求項１ないし３のいずれか１項に記載の照明装置。
【請求項５】
ＬＥＤ素子を保持し、前記ＬＥＤ基板と同一面内に固定支持される、固定用ＬＥＤ基板を備えることを特徴とする請求項１ないし４のいずれか１項に記載の照明装置。
【請求項６】
前記セードの被照射物に対向する面に、光を反射する反射部材を備えることを特徴とする請求項１ないし５のいずれか１項に記載の照明装置。
【請求項７】
請求項１ないし６のいずれか１項に記載の照明装置と、
前記ＬＥＤ素子を点灯させる点灯回路と、
前記点灯回路を収容する本体部と、
前記照明装置を回動可能かつ所定の位置で停止可能に支持し、前記照明装置と前記本体部を接続するアーム部と、
前記照明装置と前記アーム部と前記本体部を倒れない状態に維持するための土台と、
を備えることを特徴とする電気スタンド。
【発明の詳細な説明】
【技術分野】
【０００１】
本発明は、照明装置および電気スタンドに関する。
【背景技術】
【０００２】
近年、照明装置の光源に、蛍光灯ではなくＬＥＤを用いたものが増えている。手元等を照らすための、学習スタンドや読書灯などについても、蛍光灯タイプからＬＥＤを用いたタイプの照明装置がある。
【０００３】
特許文献１には、簡単な操作でユーザーの好みのスタイルに自由に光の照光範囲を調整できる画期的な照光装置が記載されており、その技術は、発光素子を設けた基体部を変形可能とすることで、光の照光範囲を調整するものである。
【０００４】
特許文献２には、無駄な方向への照明をなくし、必要とする所望の領域に対して選択的に照明することのできる照明装置が記載されており、その技術は、光源支持部から発光ダイオードを用いた複数のランプユニットを回動自在に支持し、そのランプユニットの配設位置により発光方向を選択するものである。
【先行技術文献】
【特許文献】
【０００５】
【特許文献１】登録実用新案第３１２７９９５号公報
【特許文献２】特開２００７−６６６５８号公報
【発明の概要】
【発明が解決しようとする課題】
【０００６】
特許文献１の照光装置では、光源が搭載された基体部そのものを変形させるため、変形の度合いや変形繰り返しによる光源への接続不具合のおそれがある。また、集光のため光源を所定の箇所に位置するように基体部を変形した場合、光源が集中した箇所での発熱量が増え、温度上昇が照明装置へ影響を与えるおそれがある。
【０００７】
特許文献２では、複数のランプユニットを備える必要があるだけでなく、そのランプユニットを配設する位置により発光を調整しているが、可動するための一定のスペースを必要とする。
【０００８】
本発明は、上記事情に鑑みてなされたものであり、省スペースな場所に配置でき、外観性を損ねることなく、容易に照光範囲を調整できる照明装置および電気スタンドを提供することを目的とする。
【課題を解決するための手段】
【０００９】
本発明の第１の観点に係る照明装置は、
セードと、
少なくとも２つのＬＥＤ素子を保持し、人の手で操作可能なレバーが固定され、前記セードの被照射物に対向する面の上を移動可能に支持されるＬＥＤ基板と、
前記ＬＥＤ基板に固定されたレバーが貫通されて該レバーを摺動可能に案内する孔が形成され、前記ＬＥＤ基板を覆うように前記セードに嵌合して、前記ＬＥＤ基板を所定の軌道で移動可能に保持するカバーと、
を備えることを特徴とする。
【００１０】
本発明の第２の観点に係る電気スタンドは、
本発明の第１の観点に係る照明装置と、
前記ＬＥＤ素子を点灯させる点灯回路と、
前記点灯回路を収容する本体部と、
前記照明装置を回動可能かつ所定の位置で停止可能に支持し、前記照明装置と前記本体部を接続するアーム部と、
前記照明装置と前記アーム部と前記本体部を倒れない状態に維持するための土台と、
を備えることを特徴とする。
【発明の効果】
【００１１】
本発明によれば、省スペースな場所に配置でき、外観性を損ねることなく、容易に照光範囲を調整することができる。
【図面の簡単な説明】
【００１２】
【図１】本発明の実施の形態１に係る照明装置の構成例を示す概略平面図である。被照射側の方向から見た図を示す。
【図２】照明装置の構成例を示す側面図で、図１の照明装置を側面側の方向から見た図を示す。
【図３】照明装置の光源部の動作を示す図である。
【図４】照明装置の光源部の動作時における照光範囲を示す図である。
【図５】実施の形態１の変形例１に係る照明装置（光源部）の平面図である。
【図６】実施の形態１の変形例２に係る照明装置（光源部）の平面図である。
【図７】本発明の実施の形態２に係る電気スタンドの構成例を示す概略構成図である。
【発明を実施するための形態】
【００１３】
以下、本発明の実施の形態について図面を参照しながら詳細に説明する。なお、図中同一または相当部分には同一符号を付す。
【００１４】
（実施の形態１）
図１は、本発明の実施の形態１に係る照明装置の構成例を示す概略平面図であり、被照射側の方向から見た図を示す。図２は、照明装置の構成例を示す側面図で、図１の照明装置を側面側の方向から見た図を示す。本発明において照明装置の光源にはＬＥＤ素子を用いており、省電力および長時間の点灯が可能である。
【００１５】
照明装置１は、本体部１８と光源部２０から構成される。本体部１８は、光源部２０を点灯させるための点灯回路１７を収容する。点灯回路１７は外部に接続しており、外部からの電力を光源部２０へ供給することで、光源が照光する。例えば光源部２０で用いる光源がＬＥＤ素子１１の場合、光源部２０へ１００Ｖの交流電力が供給されるときは、先に交流電圧を整流器を用いて直列回路に印加するための脈流電圧を生成し、それからＬＥＤ素子１１に電圧を印加し、ＬＥＤ素子１１を点灯させる必要がある。
【００１６】
照明装置１は、点灯回路１７を有さずに、光源部２０に直接に外部から電源を供給できる仕組みであってもよい。この場合、ＬＥＤ素子１１を点灯させるため、直流電圧を供給する必要がある。
【００１７】
光源部２０は、ＬＥＤ素子１１、ＬＥＤ基板１２、レバー１３、支軸１４、カバー１５および孔１６から構成される。
【００１８】
複数のＬＥＤ素子１１はＬＥＤ基板１２上に配設される。ＬＥＤ基板１２を移動させることで、複数のＬＥＤ素子１１がまとめて動き、照射位置を変化させることが可能となる。また、ＬＥＤ基板１２上にＬＥＤ素子１１をまとめて配設することで、配線および電源供給を容易にし、かつ、外観を好ましくすることができる。
【００１９】
ＬＥＤ基板１２は、セード１０の、被照射物に対向する面の上を、移動可能に支持される。ＬＥＤ基板１２を移動させる場合、ＬＥＤ基板１２に固定して取り付けるように形成されたレバー１３を持って作動させる。実際には、ＬＥＤ基板１２はカバー１５で覆われており、カバー１５に形成された孔１６からレバー１３を貫通させておく。レバー１３を直接手で操作して動かすことで、レバー１３が孔１６内部を摺動する動作に合わせて、カバー１５の内部に配置されたＬＥＤ基板１２を移動させることができる。
【００２０】
上述の場合において、ＬＥＤ基板１２の一端をセード１０に支軸１４で固定しておき、ＬＥＤ基板１２の支軸１４で固定されていない他端部分にレバー１３を形成しておくことで、ＬＥＤ基板１２の可動領域を制限し、かつ、回動させることができる。その結果、ＬＥＤ基板１２を所定の位置（所定の向き）に定めやすくなり、所望の照光パターンの再現性が高くなる。
【００２１】
ＬＥＤ素子１１を配設するＬＥＤ基板１２および／またはＬＥＤ基板１２を支持するセード１０は、その被照射物に対向する側の面に、光を反射する素材を用いてもよい。光を反射することにより、照度効率を高くすることができる。
【００２２】
カバー１５は、ＬＥＤ素子１１を保護し、かつ、ＬＥＤ素子１１の照光範囲や色合いなどを調整するためのもので、光を透過する材質、例えばアクリルなどで形成される。カバー１５に、ＬＥＤ素子１１の光を拡散させる様な素材を用いることで、もしくは光を拡散させる様な形状にすることで、点光源の特徴を有するＬＥＤ素子１１の光を、より面光源に近い光照射にすることが可能となる。
【００２３】
カバー１５に形成する孔１６は、レバー１３の摺動する位置を案内して可動する位置を決め、外部からＬＥＤ素子１１を作動させるために設けられる。孔１６は、カバー１５としての上述の機能を低下させないように、ＬＥＤ素子１１を作動させる軌道に沿ってレバー１３が貫通して摺動する部分に、孔１６とレバー１３との間隙を設けて形成することが好ましい。
【００２４】
図２の照明装置１は、天井などに直付しており、光源部２０そのものの位置を可動させることができないが、レバー１３を直接操作して動かすだけでＬＥＤ基板１２の位置、すなわちＬＥＤ素子１１を移動させることができ、照射位置を容易に変更することができる。照明装置１は、例えば、読書灯、手元灯、棚下灯、洗面灯などに適用することができる。
【００２５】
図３は、照明装置の光源部の動作を示す図であり、カバー１５を外した状態を示す。図中の両矢印は、レバー１３の可動方向であり、実際には、カバー１５に形成された孔１６内を摺動する。
【００２６】
図３（ａ）は、左右２つのＬＥＤ基板１２が直線上に並び、ＬＥＤ素子１１もＬＥＤ基板１２上に直線に配置される。図３（ｂ）は、セード１０の中心部近くに支軸１４で固定された２つのＬＥＤ基板１２がそれぞれ回転してハの字上に並んでいる。図３（ａ）の状態から、レバー１３を操作してＬＥＤ基板１２およびＬＥＤ素子１１を作動させた状態が図３（ｂ）である。
【００２７】
図４は、照明装置の光源部の動作時における照光範囲を示す図である。図中の矢印は照射方向Ｄ、矢印を囲う点線の範囲は照光範囲Ｓを表す。照光範囲Ｓが重なる部分はハッチングを入れて、照光範囲Ｗとおく。照光範囲Ｗは照光範囲Ｓと比較して強い光であり、明るさが増す部分である。
【００２８】
図３で示したように、光源部２０のＬＥＤ基板１２を作動させ、ＬＥＤ素子１１の配置を異ならせることができる。図４（ａ）はハの字、図４（ｂ）は直線、図４（ｃ）は逆ハの字のそれぞれの形状にＬＥＤ素子１１は並ぶ。
【００２９】
図４（ａ）ないし図４（ｃ）は、照明装置１を使用する人が、レバー１３を操作することで、使用する用途や目的に合った照光範囲Ｓおよび照射方向Ｄを選択することができる。図４（ａ）ではＬＥＤ素子１１の照射方向Ｄがある一点に集中するようにＬＥＤ素子１１は向けられており、照光範囲Ｓの重なる部分、すなわち照光範囲Ｗが最も大きい。このとき、全体としての照光範囲Ｓは小さくなる。図４（ｃ）ではＬＥＤ素子１１の照射方向Ｄが異なる方向を向くようにＬＥＤ素子１１は向けられており、照光範囲Ｓの重なる部分である照光範囲Ｗは無く、照光範囲Ｓは最も広くなる。
【００３０】
図５は、実施の形態１の変形例１に係る照明装置（光源部）の平面図である。図６は、実施の形態１の変形例２に係る照明装置（光源部）の平面図である。図５、図６ともに、ＬＥＤ素子１１の配置が異なる例である。
【００３１】
図５では、可動するＬＥＤ基板１２の他に、固定ＬＥＤ基板１９を備えたタイプである。図６は、ＬＥＤ基板１２に支軸１４がなく、両端にレバー１３を備えたタイプである。ＬＥＤ基板１２の可動範囲はカバー１５に形成する孔１６によって制限され、レバー１３の操作により、ＬＥＤ基板１２は回動せずに水平方向に移動する。
【００３２】
（実施の形態２）
図７は、本発明の実施の形態２に係る電気スタンドの構成例を示す概略構成図である。光源部２０は、実施の形態１に係る照明装置１の光源部２０と基本的な構造は同じである。
【００３３】
電気スタンド２は、本体部１８、光源部２０、アーム部２１、土台２２、アーム支持部２３および光源支持部２４を備える。本体部１８は、光源部２０の光源を点灯させるための点灯回路１７を収容する。
【００３４】
土台２２は、光源部２０とアーム部２１と本体部１８を倒れない状態に維持する。
【００３５】
アーム支持部２３は、アーム部２１と本体部１８を回動可能に支持し、かつ、所定の位置で停止して支持する。光源支持部２４は、光源部２０とアーム部２１を回動可能に支持し、かつ、所定の位置で停止して支持する。
【００３６】
電気スタンド２は、載置する場所から、土台２２、本体部１８、アーム支持部２３、アーム部２１、光源支持部２４、光源部２０の順で構成される。アーム支持部２３および／または光源支持部２４を軸として、アーム部２１および／または光源部２０を所定の位置まで傾斜させるなどして位置を動かし、被照射位置および光の強さ（明るさ）を調整する。
【００３７】
所定の明るさに調整しようとする場合、アーム部２１および／または光源部２０を可動させ光源部２０の位置を調整するか、もしくは、光源部２０のレバー１３を作動し、ＬＥＤ基板１２の位置、すなわちＬＥＤ素子１１を移動させて所定の明るさに調整することができる。また、被照射位置の調整についても同様に行う。アーム部２１および／または光源部２０を可動させ、さらにＬＥＤ素子１１の位置を調整することで、光源の明るさや被照射位置の調整を行ってもよい。
【００３８】
光源部２０の位置が低くなり作業空間が狭くなるおそれがある場合や、光源部２０そのものを可動させるスペースがない場合に、電気スタンド２は、レバー１３を操作させることで、容易に光源の明るさや被照射位置を調整することができる。
【００３９】
以上説明したように、本発明によれば、省スペースな場所に配置でき、外観性を損ねることなく、容易に照光範囲を調整することができる。
【００４０】
照光範囲の調整の際に、レバーを動かすだけで容易に集光と散光が選択できる。また、レバーの可動範囲が決められているので、照光の範囲および明るさの再現性を高くできる。さらに、レバーを直接手で操作するだけで容易にＬＥＤ素子をＬＥＤ基板毎に動かすことができる。ＬＥＤ素子はＬＥＤ基板上に配置された状態を維持できるので、ＬＥＤ素子は等間隔のままであり、発熱による照度効率の影響を少なくできる。また、ＬＥＤ基板毎に動かすことで、レバー操作時、すなわちＬＥＤ素子が移動する際に電力線が絡んだりするなどの配線の不具合が発生しにくくなり、接続不良を低減する。さらに、ＬＥＤ基板は可動範囲が制限されているので、配線が必要以上に引き出されるおそれがなく、接続不良が発生しにくい。
【００４１】
照明装置の光源にＬＥＤ素子を用いており、省電力および長時間の点灯が可能となり、交換の手間を極力省くことができる。また、ＬＥＤ素子を基板に配置してＬＥＤ基板として光源に用いることで、製造および組立を容易に行える。
【００４２】
本実施の形態では、照明装置の光源部の、光源数、光源基板数、光源位置、光源の可動範囲などについて説明した例は一例であり、上記の例に限定せずに、任意に設定可能である。固定光源との組合せや、光源を配置する位置、光源を備えるセードの形状などについても、様々な形状に適用可能である。ＬＥＤ素子は、ＬＥＤ基板上に必ずしも直線で配置する必要はなく、任意に配設することが可能である。また、照明装置に用いる固定支持される光源をＬＥＤ素子に限定する必要はなく、その他の光源、例えば蛍光ランプとするなどして、その他の光源と組み合わせて用いてもよい。
【００４３】
本実施の形態１に係る照明装置は、具体的には、読書灯、手元灯、棚下灯、洗面灯などに適用可能である。また、本実施の形態１に係る照明装置を備える電気スタンドなどであってもよい。
【００４４】
本実施の形態２に係る電気スタンドの、光源部の仕様、スタンド形状などについては、上述した例に限らず任意に設定可能である。例えば卓上型の電気スタンドであるテーブルスタンドに限らずに、部屋の照明などに用いるフロアスタンドであってもよい。
【００４５】
上記の実施形態の一部または全部は、以下の付記のようにも記載されうるが、以下には限られない。
【００４６】
（付記１）セードと、少なくとも２つのＬＥＤ素子を保持し、人の手で操作可能なレバーが固定され、前記セードの被照射物に対向する面の上を移動可能に支持されるＬＥＤ基板と、前記ＬＥＤ基板に固定されたレバーが貫通されて該レバーを摺動可能に案内する孔が形成され、前記ＬＥＤ基板を覆うように前記セードに嵌合して、前記ＬＥＤ基板を所定の軌道で移動可能に保持するカバーと、を備えることを特徴とする照明装置。
【００４７】
（付記２）前記ＬＥＤ素子は、前記ＬＥＤ基板上に直線上に配置されることを特徴とする付記１に記載の照明装置。
【００４８】
（付記３）前記ＬＥＤ基板を複数備えることを特徴とする付記１または２に記載の照明装置。
【００４９】
（付記４）前記ＬＥＤ基板は一端を支持され、該一端を支点として回動することを特徴とする付記１ないし３のいずれかに記載の照明装置。
【００５０】
（付記５）ＬＥＤ素子を保持し、前記ＬＥＤ基板と同一面内に固定支持される、固定用ＬＥＤ基板を備えることを特徴とする付記１ないし４のいずれかに記載の照明装置。
【００５１】
（付記６）前記セードの被照射物に対向する面に、光を反射する反射部材を備えることを特徴とする付記１ないし５のいずれかに記載の照明装置。
【００５２】
（付記７）付記１ないし６のいずれかに記載の照明装置と、前記ＬＥＤ素子を点灯させる点灯回路と、前記点灯回路を収容する本体部と、前記照明装置を回動可能かつ所定の位置で停止可能に支持し、前記照明装置と前記本体部を接続するアーム部と、前記照明装置と前記アーム部と前記本体部を倒れない状態に維持するための土台と、を備えることを特徴とする電気スタンド。
【符号の説明】
【００５３】
１    照明装置
２    電気スタンド
１０    セード
１１    ＬＥＤ素子
１２    ＬＥＤ基板
１３    レバー
１４    支軸
１５    カバー
１６    孔
１７    点灯回路
１８    本体部
１９    固定ＬＥＤ基板
２０    光源部
２１    アーム部
２２    土台
２３    アーム支持部
２４    光源支持部
Ｄ    照射方向
Ｓ、Ｗ    照光範囲
【図１】
0005486410.tif 000002
【図２】
0005486410.tif 000003
【図３】
0005486410.tif 000004
【図４】
0005486410.tif 000005
【図５】
0005486410.tif 000006
【図６】
0005486410.tif 000007
【図７】
0005486410.tif 000008